(57)【要約】【課題】使用する男女の比率の変化に柔軟に対応し得、かつ使用者のプライバシーや安全性を、簡便かつ経済的に確保することのできるトイレ構造を提供する。【解決手段】隣り合う男子用トイレ10と女子用トイレ20との間に男女兼用トイレ30を備え、男女兼用トイレ30は、複数のトイレブース31と、該トイレブースのドア32の外に設けた通路空間33とを備え、かつ周囲が隔壁35で仕切られる。通路空間33を画する隔壁35ａに、通路空間33と男子用トイレ10とを連絡する男子用出入口36と、通路空間33と女子用トイレ20とを連絡する女子用出入口37とを夫々設け、男子用出入口36と女子用出入口37のいずれか一方を選択的に開放可能な開閉部材40を設けることにより、使用者数に応じて男女兼用トイレ30を男子用トイレ10又は女子用トイレ20として使用できるようにした。【選択図】  図１
2005351022.tif 000002
【特許請求の範囲】
【請求項１】
隣り合う男子用トイレと女子用トイレとの間に男女兼用トイレを備えたトイレ構造において、
男女兼用トイレは、複数のトイレブースと、該トイレブースのドアの外に設けた通路空間とを備え、かつ周囲が隔壁で仕切られ、
通路空間を画する隔壁に、通路空間と男子用トイレとを連絡する男子用出入口と、通路空間と女子用トイレとを連絡する女子用出入口とを夫々設け、かつ男子用出入口と女子用出入口のいずれか一方を選択的に開放可能な開閉部材を設けることにより、使用者数に応じて男女兼用トイレを男子用トイレ又は女子用トイレとして使用できるようにした、トイレ構造。
【請求項２】
通路空間は、複数のトイレブースが連設された方向に沿って伸び、平面視帯状をなしている、請求項１に記載のトイレ構造。
【請求項３】
男女兼用トイレの男子用出入口と女子用出入口とを隣接させて配置し、その隣接部に一つの開閉部材を設け、この開閉部材を動かすことによって、男子用出入口と女子用出入口のいずれか一方が選択的に開放され、他方が閉鎖されるように構成した、請求項１又は２に記載のトイレ構造。
【請求項４】
男女兼用トイレを複数のブロックに区分し、その周囲を隔壁で仕切り、ブロック毎に、通路空間と男子用トイレとを連絡する男子用出入口と、通路空間と女子用トイレとを連絡する女子用出入口とを夫々設け、ブロック単位で男女兼用トイレを男子用トイレ又は女子用トイレとして使用できるようにした、請求項１〜３のいずれかに記載のトイレ構造。
【請求項５】
隔壁は、床から天井部分に至るまで形成され、男子用トイレ及び女子用トイレとの境界壁を形成している、請求項１〜４のいずれかに記載のトイレ構造。
【請求項６】
個別使用される隣り合う２つの独立ゾーンを備え、２つの独立ゾーンの間に兼用ゾーンを備えた施設構造において、
兼用ゾーンは、複数のブースと、該ブースのドアの外に設けた通路空間とを備え、かつ周囲が隔壁で仕切られ、
通路空間を画する隔壁に、通路空間と一方の独立ゾーンとを連絡する第１出入口と、通路空間と他方の独立ゾーンとを連絡する第２出入口とを夫々設け、かつ第１出入口と第２出入口のいずれか一方を選択的に開放可能な開閉部材を設けることにより、使用者数に応じて兼用ゾーンを２つの独立ゾーンのいずれかの一部として使用できるようにした、施設構造。
【発明の詳細な説明】
【技術分野】
【０００１】
本発明は、トイレ構造及び施設構造に関する。
【背景技術】
【０００２】
イベント会場、映画館、音楽ホール、講演会場等の諸施設に設置されているトイレは、予め使用する男女の比率を想定して設計され、それぞれ固定されたスペースをもち、独立して使用される男女別のトイレとして構成されている。
しかし、男女別のトイレとして固定されていると、使用する男女の比率に偏りを生じたとき、一方のトイレは空いているにもかかわらず、他方のトイレは混雑していて待たされるといった不都合な事態が生じる。
そこで、使用する男女の比率の変化に柔軟に対応し得るようにするためのトイレの間仕切り構造が提案されており、特許文献１には、「男子用と女子用に分けられたトイレスペースと、このトイレスペースを間仕切る複数のトイレブースを備えたトイレの間仕切り構造において、男女いずれのトイレスペースからも開けることができる扉を各トイレブースに設け、トイレの使用者数に応じて各トイレスペースから使用できるトイレブースの比率を変えることができるようにしたことを特徴とするトイレの間仕切り構造。」が記載されている（請求項１）。
【０００３】
【特許文献１】特許第３０３１４４３号公報
【発明の開示】
【発明が解決しようとする課題】
【０００４】
上記特許文献１に記載の発明によれば、トイレの待ち時間を少なくして混雑を解消でき使用効率が解消するという効果が奏される。しかし、各トイレブースの両側に扉が設けられた構造であり、扉のすぐ向こうに異性の使用スペースがあるため、使用者のプライバシーや安全性が十分に確保されているとはいえない。
また、同特許文献１には、「男女側で連動する連動シャッタを設けこの連動シャッタを移動させて一方の扉の前面を遮蔽し他方の扉の前面を開放することで使用できるトイレブースの比率を変えることを特徴とする」構造が記載されている（請求項２）が、大掛かりな装置を必要とし、コストがかかり、保守等も簡便とはいえない。
本発明は、上記従来技術における不都合を解消するためになされたものであり、使用する男女の比率の変化に柔軟に対応し得、かつ使用者のプライバシーや安全性を、簡便かつ経済的に確保することのできるトイレ構造を提供することを目的とする。
また、個別使用される隣接する２つの独立ゾーンを備えた施設構造において、２つの独立ゾーンの間に設けた兼用ゾーンについて、簡便かつ経済的に使用者のプライバシーや安全性を確保しながら、使用者数に応じて兼用ゾーンを２つの独立ゾーンのいずれかの一部として使用できるようにした施設構造を提供することを目的とする。
【課題を解決するための手段】
【０００５】
（１）請求項１に係る発明は、隣り合う男子用トイレと女子用トイレとの間に男女兼用トイレを備えたトイレ構造において、
男女兼用トイレは、複数のトイレブースと、該トイレブースのドアの外に設けた通路空間とを備え、かつ周囲が隔壁で仕切られ、
通路空間を画する隔壁に、通路空間と男子用トイレとを連絡する男子用出入口と、通路空間と女子用トイレとを連絡する女子用出入口とを夫々設け、かつ男子用出入口と女子用出入口のいずれか一方を選択的に開放可能な開閉部材を設けることにより、使用者数に応じて男女兼用トイレを男子用トイレ又は女子用トイレとして使用できるようにした、トイレ構造である。
なお、本発明において、開閉部材とは、出入口に開閉できるように取り付けられる部材をいい、開いたとき人が通過でき、閉じたとき人の通過を止める部材である。扉が一般的であるが、開き戸に限定されるものではなく、開き戸のほかに引戸やアコーディオンドア、シャッター等を含むものである。開閉部材は、閉じたときにその向こう側の視界を遮るものが好ましい。
（２）請求項２に係る発明は、通路空間は、複数のトイレブースが連設された方向に沿って伸び、平面視帯状をなしている、請求項１に記載のトイレ構造である。
（３）請求項３に係る発明は、男女兼用トイレの男子用出入口と女子用出入口とを隣接させて配置し、その隣接部に一つの開閉部材を設け、この開閉部材を動かすことによって、男子用出入口と女子用出入口のいずれか一方が選択的に開放され、他方が閉鎖されるように構成した、請求項１又は２に記載のトイレ構造である。
（４）請求項４に係る発明は、男女兼用トイレを複数のブロックに区分し、その周囲を隔壁で仕切り、ブロック毎に、通路空間と男子用トイレとを連絡する男子用出入口と、通路空間と女子用トイレとを連絡する女子用出入口とを夫々設け、ブロック単位で男女兼用トイレを男子用トイレ又は女子用トイレとして使用できるようにした、請求項１〜３のいずれかに記載のトイレ構造である。
（５）請求項５に係る発明は、隔壁は、床から天井部分に至るまで形成され、男子用トイレ及び女子用トイレとの境界壁を形成している、請求項１〜４のいずれかに記載のトイレ構造である。
（６）請求項６に係る発明は、個別使用される隣り合う２つの独立ゾーンを備え、２つの独立ゾーンの間に兼用ゾーンを備えた施設構造において、
兼用ゾーンは、複数のブースと、該ブースのドアの外に設けた通路空間とを備え、かつ周囲が隔壁で仕切られ、
通路空間を画する隔壁に、通路空間と一方の独立ゾーンとを連絡する第１出入口と、通路空間と他方の独立ゾーンとを連絡する第２出入口とを夫々設け、かつ第１出入口と第２出入口のいずれか一方を選択的に開放可能な開閉部材を設けることにより、使用者数に応じて兼用ゾーンを２つの独立ゾーンのいずれかの一部として使用できるようにした、施設構造である。
【発明の効果】
【０００６】
（１）請求項１に係る発明は、男女兼用トイレは、複数のトイレブースと、該トイレブースのドアの外に設けた通路空間とを備え、かつ周囲が隔壁で仕切られ、通路空間を画する隔壁に、通路空間と男子用トイレとを連絡する男子用出入口と、通路空間と女子用トイレとを連絡する女子用出入口とを夫々設け、かつ男子用出入口と女子用出入口のいずれか一方を選択的に開放可能な開閉部材を設けることにより、使用者数に応じて男女兼用トイレを男子用トイレ又は女子用トイレとして使用できるようにしたので、使用する男女の比率の変化に柔軟に対応し得ることに加えて、トイレブースのドアの外に設けた通路空間を介してトイレブースと男子用トイレ又は女子用トイレとが連絡される構造であり、通路空間が緩衝空間として作用するため、トイレブースにおける使用者のプライバシーや安全性が確保され、安心して快適に使用することができる。また、各トイレブースに２つのドアを設けずにすみ、男子用トイレ又は女子用トイレへのスイッチングは、従来のような特別な連動シャッタなどを設ける必要がなく、通路空間への開閉部材の操作のみで行われるため、簡便かつ迅速に行われ、経済的でもある。
（２）請求項２に係る発明によれば、通路空間は、複数のトイレブースが連設された方向に沿って伸び、平面視帯状をなしているため、通路空間を画する隔壁の設置は簡便であり、また、コンパクトな通路空間を形成し得るものである。
（３）請求項３に係る発明は、男女兼用トイレの男子用出入口と女子用出入口とを隣接させて配置し、その隣接部に一つの開閉部材を設け、この開閉部材を動かすことによって、男子用出入口と女子用出入口のいずれか一方が選択的に開放され、他方が閉鎖されるように構成したので、隣接部の一つの開閉部材の操作のみで、男子用トイレ又は女子用トイレへのスイッチングが行われるため、きわめて簡便でありかつ迅速にできる。
（４）請求項４に係る発明は、男女兼用トイレを複数のブロックに区分し、その周囲を隔壁で仕切り、ブロック毎に、通路空間と男子用トイレとを連絡する男子用出入口と、通路空間と女子用トイレとを連絡する女子用出入口とを夫々設け、ブロック単位で男女兼用トイレを男子用トイレ又は女子用トイレとして使用できるようにしたので、ブロック単位での調整が利くため、使用する男女の比率の変化に応じて、より柔軟かつ的確に対応し得る。
（５）請求項５に係る発明は、隔壁は、床から天井部分に至るまで形成され、男子用トイレ及び女子用トイレとの境界壁を形成しているので、使用者のプライバシーや安全性がさらに確実に確保される。
（６）請求項６に係る発明によれば、一方の独立ゾーン又は他方の独立ゾーンそれぞれにおいて個別使用する人の比率の変化に柔軟に対応し得ることに加えて、ブースのドアの外に設けた通路空間を介してブースと一方の独立ゾーン又は他方の独立ゾーンとが連絡される構造であり、通路空間が緩衝空間として作用するため、ブースにおける使用者のプライバシーや安全性が確保され、安心して使用することができる。また、一方の独立ゾーン又は他方の独立ゾーンへのスイッチングは、特別な連動シャッタなどを設ける必要がなく、開閉部材の操作のみで行われるため、簡便かつ迅速に行われ、経済的でもある。
【発明を実施するための最良の形態】
【０００７】
本発明の好ましい実施の形態について実施例を挙げ、図面を参照して説明する。なお、各図において同じ要素には同じ符号を用い、適宜その説明を省略する場合がある。各図において、使用者の動線を太い矢印で示す。
【実施例１】
【０００８】
図１は実施例１に係るトイレを概略的に示す平面図である。
トイレ１は、男子用トイレ１０と女子用トイレ２０とを備えている。男子用トイレ１０と女子用トイレ２０とは隣り合っている。符号２は両トイレ１０，２０の境界壁である。男子用トイレ１０及び女子用トイレ２０には、それぞれ一つの入口１１，２１が設けられている。男子用トイレ１０には小便器とトイレブース、洗面台等が配設され、女子用トイレ２０には、トイレブース、洗面台等が配設されるが、それらの配置等は公知の構成を含め、任意であるため、図示省略する。トイレ１の設置場所は、各種ホール、映画館、ショッピングセンター、パーキングエリア、駅等に適するが、何ら限定されない。構造種別も任意である。
【０００９】
隣り合う男子用トイレ１０と女子用トイレ２０との間、すなわち境界部分に、男女兼用トイレ３０（破線で囲んで示している。）が設けられている。
男女兼用トイレ３０は、大便器を備えた複数のトイレブース３１と、該トイレブース３１のドア３２の外に設けた通路空間３３（散点ハッチングで表示）とを備えてなる。男女兼用トイレ３０の周囲は隔壁３５で仕切られている。トイレブース３１の数は、トイレの規模や予想される男女の比率の変動率等によって設定される。
各トイレブース３１は、整列させて連設されており、その側面が互いに隣り合うよう横に並べて整列させた態様となっている。各トイレブース３１のドア３２は、各ブースに対して１つ、正面に設けられている。トイレ１の平面形状によっては、各トイレブース３１をその正背面で隣り合わせて連設することもできる。
【００１０】
ドア３２の外に設けた通路空間３３は、各トイレブース３１のドア３２の手前において矩形の領域を形成し、それが連なって複数のトイレブース３１が連設された方向に沿って伸び、平面視帯状をなしている。複数のトイレブース３１と通路空間３３によって形成される男女兼用トイレ３０は、平面視矩形をなす領域を形成して、隔壁３５で仕切られている。その領域の長手方向は、男子用トイレ１０と女子用トイレ２０との境界線に沿う方向となっている。隔壁３５によって隔壁３５を挟む各側から逆側への視界は遮られる。
隔壁３５は、好ましくは、床から天井部分（上階の床スラブである場合も含む。）に至るまで形成され、男子用トイレ１０及び女子用トイレ２０との境界壁を形成しているものとする。それにより、一層プライバシーや安全性が向上する。
【００１１】
通路空間３３を画する隔壁３５ａに、通路空間３３と男子用トイレ１０とを連絡する男子用出入口３６と、通路空間３３と女子用トイレ２０とを連絡する女子用出入口３７とが夫々設けられている。そして、男子用出入口３６と女子用出入口３７のいずれか一方を選択的に開放可能な開閉部材４０が設けられている。
男女兼用トイレ３０の男子用出入口３６と女子用出入口３７とは、隣接させて配置されている。男子用出入口３６と女子用出入口３７とによって、通路空間３３の隅角部が形成されるように隣接させて配置されている。その隣接部に一つの開閉部材（扉）４０を設けている。開閉部材４０は、男子用出入口３６と女子用出入口３７との隣接部（通路空間３３の隅角部）を支点として回動可能に設けられており、この開閉部材４０を回動することによって、男子用出入口３６と女子用出入口３７のいずれか一方が選択的に開放され、他方が閉鎖されるように構成されている。このため、男子用出入口３６と女子用出入口３７の開放・閉鎖がきわめて簡便かつ迅速に行われる。開閉部材４０にはロック装置が設けられ、一方の出入口が閉鎖されているときは、勝手にその閉鎖が解除できないようになっている。ロック装置は機械式又は電気式のものを用いることができる。開閉部材４０は管理者が手動により操作するほか、電気的な駆動装置を用いて操作されるようにしてもよい。人数感知センサ等を用いて使用者数に応じて開閉部材の開閉が自動的に行われるようにしてもよい。なお、開閉部材４０を１つではなく、男子用出入口３６と女子用出入口３７とに別々に設けてもよい。
【００１２】
本実施例のトイレの使い方を説明する。
図１（ａ）は、開閉部材４０によって、男子用出入口３６が閉鎖されている状態を示している。女子の使用者数が比較的多いときの使用状態である。男女兼用トイレ３０は、女子用トイレ２０の一部として機能しているが、男女兼用トイレ３０は周囲が隔壁３５で仕切られ、通路空間３３が男子用トイレ１０との緩衝空間となっているので、女子にとって快適な使用空間が得られる。
一方、図１（ｂ）は、開閉部材４０を回動させて、男子用出入口３６の閉鎖を解除して開放するとともに、女子用出入口３７を閉鎖した状態を示している。男子の使用者数が比較的多いときの使用状態である。男女兼用トイレ３０は、男子用トイレ１０の一部として機能しているが、男女兼用トイレ３０は周囲が隔壁３５で仕切られているので、プライバシーや安全性は確保されている。
このように、使用者数に応じて男女兼用トイレ３０を男子用トイレ１０又は女子用トイレ２０として使用できる。
男女兼用トイレ３０は、その周囲（男子用トイレ１０及び女子用トイレ２０との境界線）が隔壁３５で仕切られているので、隔壁３５を床から天井（上階の床スラブで形成される直天井を含む。）に至るまで形成すると、男女兼用トイレ３０は、隔壁３５、床及び天井によって閉鎖された内部空間を形成することとなる。そして、男女兼用トイレ３０の隔壁３５に設けられている男子用出入口３６を閉鎖し、女子用出入口３７を開放した場合には、通路空間３３を含む男女兼用トイレ３０は、隔壁３５によって男子用トイレ１０と遮断され、女子用トイレ２０の一部となって女子用トイレ２０と連通し、女子用トイレ２０の内部から直接に男女兼用トイレ３０の通路空間３３へ一旦進入し、トイレブース３１にアクセスする人の動線が形成される。逆に、女子用出入口３７を閉鎖し、男子用出入口３６を開放した場合には、通路空間３３を含む男女兼用トイレ３０は、隔壁３５によって女子用トイレ２０と遮断され、男子用トイレ１０の一部となって男子用トイレ１０と連通し、男子用トイレ１０の内部から直接に男女兼用トイレ３０の通路空間３３へ一旦進入し、トイレブース３１にアクセスする人の動線が形成されることとなる。
【実施例２】
【００１３】
図２は実施例２に係るトイレを概略的に示す平面図である。
この実施例２は、実施例１の変形例であり、男女兼用トイレ３０を複数のブロックＡ，Ｂに区分し、ブロックＡ，Ｂ毎に、通路空間３３と男子用トイレ１０とを連絡する男子用出入口３６と、通路空間３３と女子用トイレ２０とを連絡する女子用出入口３７とを夫々設け、ブロックＡ，Ｂ単位で男女兼用トイレ３０を男子用トイレ１０又は女子用トイレ２０として使用できるようにしたものである。各ブロックＡ，Ｂは、複数室のトイレブース３１を括って１ブロックが形成され、図示の例では３室のトイレブースを括って形成されているが、必要に応じて２室あるいは４室以上を括って形成してもよい。各ブロックＡ，Ｂは、その周囲が隔壁３５で仕切られている。ブロック間のトイレブース３１の壁も、隔壁３５ｂとなっている。図示のものは２ブロックに区分した例を示しているが、３ブロック以上に区分することもできる。
【００１４】
図２の（ａ）は通常時、（ｂ）は女子混雑時、（ｃ）は男子混雑時の使用状態を示す。
図２（ａ）の通常時では、ブロックＡにおいて、開閉部材４０によって、女子用出入口３７が閉鎖され、男子用出入口３６は開放されている。ブロックＢにおいては、開閉部材４０によって、男子用出入口３６が閉鎖され、女子用出入口３７は開放されている。ブロックＡは、男子用トイレ１０の一部として機能しているが、ブロックＡは周囲が隔壁３５で仕切られているので、プライバシーや安全性は確保されている。ブロックＢは、女子用トイレ２０の一部として機能しているが、ブロックＢは周囲が隔壁３５で仕切られ、通路空間３３が男子用トイレ１０との緩衝空間となっているので、女子にとって快適な使用空間が得られる。
図２（ｂ）の女子混雑時では、ブロックＡ、ブロックＢともに、開閉部材４０によって、男子用出入口３６が閉鎖され、女子用出入口３７は開放されている。ブロックＡ，Ｂともに、女子用トイレ２０の一部として機能しているが、ブロックＡ，Ｂは周囲が隔壁３５で仕切られ、通路空間３３が男子用トイレ１０との緩衝空間となっているので、女子にとって快適な使用空間が得られる。
図２（ｃ）の男子混雑時では、ブロックＡ、ブロックＢともに、開閉部材４０によって、女子用出入口３７が閉鎖され、男子用出入口３６は開放されている。ブロックＡ，Ｂともに、男子用トイレ２０の一部として機能しているが、ブロックＡ，Ｂは周囲が隔壁３５で仕切られているので、プライバシーや安全性は確保されている。
このように、使用する男女の比率の変化に応じて、ブロック単位での調整が利くものであり、使用者数に応じて男女兼用トイレ３０の一部又は全部を男子用トイレ１０又は女子用トイレ２０として使用することができ、より柔軟かつ的確に対応し得る。また、個々のトイレブース単位で調整するものに比べて、開閉部材の数を低減できるので、コスト上、有利である。
【実施例３】
【００１５】
図３は実施例３に係るトイレを概略的に示す平面図である。
この実施例３は、実施例２の変形例であり、男女兼用トイレ３０を、ブロックよりもさらに細分化された各トイレブース３１毎に、通路空間３３と男子用トイレ１０とを連絡する男子用出入口３６と、通路空間３３と女子用トイレ２０とを連絡する女子用出入口３７とを夫々設け、各トイレブース３１単位で男女兼用トイレ３０を男子用トイレ１０又は女子用トイレ２０として使用できるようにしたものである。各トイレブース３１とそれに対応する個々の通路空間は、その周囲が隔壁３５で仕切られている。トイレブース３１間の壁も、隔壁３５ｂとなっている。
【００１６】
図３の（ａ）は通常時、（ｂ）は女子混雑時、（ｃ）は男子混雑時の使用状態を例示するものである。
図３（ａ）の通常時では、開閉部材４０によって、図の左側から２つ目までのトイレブース３１について女子用出入口３７が閉鎖され、男子用出入口３６は開放されている。左側から３つ目より右側のトイレブース３１については、開閉部材４０によって、男子用出入口３６が閉鎖され、女子用出入口３７は開放されている。左側の２つのトイレブース３１は、男子用トイレ１０の一部として機能しているが、トイレブース３１とそれに対応する通路空間３３の周囲が隔壁３５で仕切られているので、プライバシーや安全性は確保されている。残りの４つのトイレブース３１は、女子用トイレ２０の一部として機能しているが、同様にトイレブース３１とそれに対応する通路空間３３の周囲が隔壁３５で仕切られ、通路空間３３が男子用トイレ１０との緩衝空間となっているので、女子にとって快適な使用空間が得られる。
図３（ｂ）の女子混雑時では、男女兼用トイレ３０におけるすべてのトイレブース３１について、開閉部材４０によって、男子用出入口３６が閉鎖され、女子用出入口３７は開放されている。すべてのトイレブース３１は、女子用トイレ２０の一部として機能しているが、周囲が隔壁３５で仕切られ、通路空間３３が男子用トイレ１０との緩衝空間となっているので、女子にとって快適な使用空間が得られる。
図３（ｃ）の男子混雑時では、男女兼用トイレ３０におけるすべてのトイレブース３１について、開閉部材４０によって、女子用出入口３７が閉鎖され、男子用出入口３６は開放されている。すべてのトイレブース３１は、男子用トイレ２０の一部として機能しているが、周囲が隔壁３５で仕切られているので、プライバシーや安全性は確保されている。
このように、使用する男女の比率の変化に応じて、各トイレブース単位での微調整が利くものであり、使用者数に応じて男女兼用トイレ３０の一部又は全部を男子用トイレ１０又は女子用トイレ２０として使用することができ、より柔軟かつ的確に対応し得る。
なお、実施例２と３の複合形態を採用することもできる。
【実施例４】
【００１７】
図４は実施例４に係るトイレを概略的に示す平面図である。
この実施例４は、実施例１の変形例であり、実施例１とは、男女兼用トイレ３０における男子用出入口３６と女子用出入口３７の位置関係及び開閉部材４０の構成が異なっている。
すなわち、この実施例４は、男女兼用トイレ３０の男子用出入口３６と女子用出入口３７とは、やや離れた位置にあり、ほぼ対向して配置されている。そして、２つの開閉部材４０ａ，４０ｂが設けられ、それぞれ、男子用出入口３６と女子用出入口３７に位置しており、２つの開閉部材４０ａ，４０ｂによって、それぞれ個別に男子用出入口３６と女子用出入口３７の開放・閉鎖を行うようになっている。
図４（ａ）の女子混雑時では、開閉部材４０ａは男子用出入口３６を閉鎖しているとともに、開閉部材４０ｂは女子用出入口３７を開放している。男女兼用トイレ３０は、女子用トイレ２０の一部として機能しているが、男女兼用トイレ３０は周囲が隔壁３５で仕切られ、通路空間３３が男子用トイレ１０との緩衝空間となっているので、女子にとって快適な使用空間が得られる。
図４（ｂ）の男子混雑時では、開閉部材４０ａは男子用出入口３６を開放しているとともに、開閉部材４０ｂは女子用出入口３７を閉鎖している。男女兼用トイレ３０は、男子用トイレ１０の一部として機能しているが、男女兼用トイレ３０は周囲が隔壁３５で仕切られているので、プライバシーや安全性は確保されている。
【実施例５】
【００１８】
図５は実施例５に係るトイレを概略的に示す平面図である。
この実施例５は、実施例１の変形例であり、実施例１とは、男女兼用トイレ３０における男子用出入口３６と女子用出入口３７の位置関係、開閉部材４０の構成が若干異なっている。
すなわち、この実施例５は、男女兼用トイレ３０の男子用出入口３６と女子用出入口３７とは、隣接して配置されているが、両出入口がほぼ同じ直線上に整列して配置されている。そして、１つの開閉部材４０ｃは開き戸ではなく、引戸で構成されており、この開閉部材４０ｃを左右に摺動させることによって、男子用出入口３６と女子用出入口３７のいずれか一方が選択的に開放され、他方が閉鎖されるように構成されている。このため、男子用出入口３６と女子用出入口３７の開放・閉鎖がきわめて簡便かつ迅速に行われる。
図５（ａ）の女子混雑時では、開閉部材４０ｃは、進入方向から見て左側に寄せられて男子用出入口３６を閉鎖しているとともに、女子用出入口３７を開放している。男女兼用トイレ３０は、女子用トイレ２０の一部として機能している。
図５（ｂ）の男子混雑時では、開閉部材４０ｃは、進入方向から見て右側に寄せられて女子用出入口３７を閉鎖しているとともに、男子用出入口３６を開放している。男女兼用トイレ３０は、男子用トイレ１０の一部として機能している。
【００１９】
以上の実施例１〜５で、本発明のトイレ構造について説明したが、請求項６に記載のとおり、本発明はトイレという用途に限らず、他の用途に適用される施設構造として構成することができるものである（図示省略）。
この場合、上記実施例１〜５において、「トイレ」を「施設」、「トイレブース」を「ブース」、「男子用トイレ」を「一方の独立ゾーン」、「女子用トイレ」を「他方の独立ゾーン」、「男女兼用トイレ」を「兼用ゾーン」、「男子用出入口」を「第１出入口」、「女子用出入口」を「第２出入口」と夫々読み替えて構成することができるものである。
【００２０】
トイレ以外の施設としては、男女別に使用するのに適した諸施設、例えば、シャワールームや更衣室に係る施設構造として構成することができる。また、二種に分けて個別使用するのに適した施設であれば、男女別に使用するのに適した施設に限られるものではなく、必要に応じて、例えば個室として使用するのが好ましい相談室や応接室といった用途に適用することもできる。民間施設・公共施設いずれにも適用できる。各種店舗への適用も可能である。
【００２１】
以上、実施例を挙げて本発明の実施の形態を説明したが、本発明は上記した実施例に限定されるものではなく、本発明の要旨の範囲で適宜、付加、変形等なし得るものである。
【図面の簡単な説明】
【００２２】
【図１】実施例１に係るトイレを概略的に示す平面図である。
【図２】実施例２に係るトイレを概略的に示す平面図である。
【図３】実施例３に係るトイレを概略的に示す平面図である。
【図４】実施例４に係るトイレを概略的に示す平面図である。
【図５】実施例５に係るトイレを概略的に示す平面図である。
【符号の説明】
【００２３】
１  トイレ
１０  男子用トイレ
２０  女子用トイレ
３０  男女兼用トイレ
３１  トイレブース
３２  ドア
３３  通路空間
３５  隔壁
３６  男子用出入口
３７  女子用出入口
４０  開閉部材
Ａ，Ｂ  ブロック
【図１】
2005351022.tif 000003
【図２】
2005351022.tif 000004
【図３】
2005351022.tif 000005
【図４】
2005351022.tif 000006
【図５】
2005351022.tif 000007